(57)【要約】【課題】小型の天井埋込形換気扇でも制御装置を設置することができる換気装置を提供することを目的とする。【解決手段】天井裏に取り付けられ、下面に吸込口１を有しかつ側面に吐出口２を有する本体フレーム３と、部屋内の空気を吸入して吐出する送風ユニット４と、この送風ユニット４を包囲するファンケーシング６と、本体フレーム３の室内側に装着される化粧パネル７と、本体フレーム３の天面に装着される制御装置９と、速度調整装置１０を設けた換気装置であって速度調整装置リード線１１をファンケーシング６の舌片側の本体フレーム天面開口穴１３を通して配線したことにより、小型の天井埋込形換気扇でも送風ユニットを駆動制御できる換気装置を提供できる。【選択図】図３
2010117111.tif 000002
【特許請求の範囲】
【請求項１】
部屋の天井裏に取り付けられ、下面に天井板の開口部に対応する吸込口を有しかつ側面に吐出口を有する本体フレームと、前記本体フレーム内部に前記部屋内の空気を前記吸込口から吸入して前記吐出口から吐出する送風ユニットと、この送風ユニットの羽根回転軸方向前面側のほぼ中央に吸込口を有し前記送風ユニットを包囲するファンケーシングと、前記本体フレームの前記部屋の室内側に着脱自在に装着される化粧パネルと、前記本体フレームの天面に装着される前記送風ユニットを駆動制御する制御装置と、前記送風ユニットの回転数を制御する速度調整装置を前記本体フレーム内部または前記化粧パネルに設けた換気装置であって、前記制御装置と前記速度調整装置を接続する速度調整装置リード線を前記ファンケーシングの舌片側の前記本体フレーム天面開口穴を通して配線したことを特徴とする換気装置。
【請求項２】
速度調整装置を、人感センサーと風量調整装置としたことを特徴とする請求項１記載の換気装置。
【請求項３】
本体フレーム内側のケーシングと化粧パネルとの間にオリフィスを設け、速度調整装置をファンケーシング舌片側のオリフィス内側に設けたことを特徴とする請求項１または２記載の換気装置。
【請求項４】
速度調整装置を固定し保護するスイッチボックスをオリフィス内側に設け、前記オリフィス内側面にスイッチボックス壁面内側を囲むようなオリフィスリブを設け、前記スイッチボックスのリード線引込部に前記オリフィスリブを挟み込みようなスイッチボックス内側リブと外側リブを設けたことを特徴とする請求項１〜３のいずれかに記載の換気装置。
【請求項５】
速度調整装置リード線を通す長穴を、オリフィス端面より形成し長穴内側にリード線抜け止用凸部を設けたことを特徴とする請求項１または２記載の換気装置。
【請求項６】
速度調整装置リード線を通す長穴を、ファンケーシング舌片側の本体フレーム天面開口部下側の化粧パネル固定用スプリング用穴近傍に設け、化粧パネルの速度調整装置より前記スプリング用穴に向けて設けた化粧パネル格子補強リブの上にリード線固定部を設けたことを特徴とする請求項１または２記載の換気装置。
【請求項７】
化粧パネルに、人感センサーをねじ止めにて固定したことを特徴とする請求項６記載の換気装置。
【請求項８】
人感センサーの固定を、固定用ねじ部の雌ねじ部分にナットを使用したことを特徴とする請求項７記載の換気装置。
【請求項９】
人感センサーの固定用ねじ穴径を、ねじ径よりも小さくしたことを特徴とする請求項８記載の換気装置。
【請求項１０】
オリフィス前面に、センサー固定部材を介して人感センサーを固定したことを特徴とする請求項１記載の換気装置。
【請求項１１】
人感センサーのセンサーボックス一方の両側面に長穴凹部を設け、長穴下端部とセンサー固定部材ガイド側面が係合する位置に設けたねじ穴にセンサーボックス固定用ねじを取付け、センサーボックス長穴部を両側から挟み込む構造としたことを特徴とする請求項１０記載の換気装置。
【請求項１２】
人感センサーのセンサーボックス側面に、天井材板厚を表示する表示部を設けたことを特徴とする請求項１１記載の換気装置。
【請求項１３】
送風ユニットを駆動制御する制御装置を固定および保護する基板ボックスの電源コード固定部の下面に、本体フレーム外側に向けて傾斜させた傾斜部を設けたこと特徴とする請求項１記載の換気装置。
【請求項１４】
本体フレーム天面に設置した電装部品を保護する電装カバーを、前記本体フレーム天面のねじ穴を通じてファンケーシングに設けたボス部にてねじ固定する構造としたことを特徴とする請求項１または２記載の換気装置。
【請求項１５】
通風路の部品を、金属製としたことを特徴とする請求項１または２記載の換気装置。
【請求項１６】
本体フレーム天面を別部品にて本体フレーム内側より天面固定用ねじにて固定し、電装カバー大きさを本体フレーム天面開口部よりも小さくしたことを特徴とする請求項１記載の換気装置。
【請求項１７】
センサーボックスをセンサーボックスＡとセンサーボックスＢとし、センサーボックスＡとセンサーボックスＢのリード線引出し口にリード線固定用の三角形の凸部を設け、センサーボックスＡとセンサーボックスＢをセンサーボックス固定用ねじにて固定しリード線を挟み込む構造としたことを特徴とする請求項７記載の換気装置。
【発明の詳細な説明】
【技術分野】
【０００１】
本発明は、天井裏に設置し屋外と連通するダクトとに接続され、天井に設けた開口に埋め込まれ、室内の換気を行う換気装置に関する。
【背景技術】
【０００２】
従来、制御装置を搭載した換気装置は本体フレームの内部に、下面に吸込口と側面に吐出口を有したファンケーシングを設け、本体フレームとファンケーシングとの隙間に制御装置を設けて構成されていた（例えば、特許文献１参照）。
【特許文献１】特開平５−１０６８７９号公報
【発明の開示】
【発明が解決しようとする課題】
【０００３】
このような従来の換気装置では、小型の天井埋込形の換気装置に送風ユニットを駆動制御する制御基板を搭載する場合、その本体フレーム内部に制御基板を設置するスペースがなかったという課題がある。
【０００４】
本発明は、このような従来の課題を解決するものであり、小型の天井埋込形換気扇でも制御装置を設置することができる換気装置を提供することを目的とする。
【課題を解決するための手段】
【０００５】
本発明の換気装置は、上記目的を達成するために、部屋の天井裏に取り付けられ、下面に天井板の開口部に対応する吸込口を有しかつ側面に吐出口を有する本体フレームと、前記本体フレーム内部に前記部屋内の空気を前記吸込口から吸入して前記吐出口から吐出する送風ユニットと、この送風ユニットの羽根回転軸方向前面側のほぼ中央に吸込口を有し前記送風ユニットを包囲するファンケーシングと、前記本体フレームの前記部屋の室内側に着脱自在に装着される化粧パネルと、前記本体フレームの天面に装着される前記送風ユニットを駆動制御する制御装置と、前記送風ユニットの回転数を制御する速度調整装置を前記本体フレーム内部または前記化粧パネルに設けた換気装置であって、前記制御装置と前記速度調整装置を接続する速度調整装置リード線を前記ファンケーシングの舌片側の前記本体フレーム天面開口穴を通して配線したものである。
【０００６】
また、他の手段は、速度調整装置を、人感センサーと風量調整装置としたものである。
【０００７】
また、他の手段は、本体フレーム内側のケーシングと化粧パネルとの間にオリフィスを設け、速度調整装置をファンケーシング舌片側のオリフィス内側に設けたものである。
【０００８】
また、他の手段は、速度調整装置を固定し保護するスイッチボックスをオリフィス内側に設け、前記オリフィス内側面にスイッチボックス壁面内側を囲むようなオリフィスリブを設け、前記スイッチボックスのリード線引込部に前記オリフィスリブを挟み込みようなスイッチボックス内側リブと外側リブを設けたものである。
【０００９】
また、他の手段は、速度調整装置リード線を通す長穴を、オリフィス端面より形成し長穴内側にリード線抜け止用凸部を設けたものである。
【００１０】
また、他の手段は、速度調整装置リード線を通す長穴を、ファンケーシング舌片側の本体フレーム天面開口部下側の化粧パネル固定用スプリング用穴近傍に設け、化粧パネルの速度調整装置より前記スプリング用穴に向けて設けた化粧パネル格子補強リブの上にリード線固定部を設けたものである。
【００１１】
また、他の手段は、化粧パネルに、人感センサーをねじ止めにて固定したものである。
【００１２】
また、他の手段は、人感センサーの固定を、固定用ねじ部の雌ねじ部分にナットを使用したものである。
【００１３】
また、他の手段は、人感センサーの固定用ねじ穴径を、ねじ径よりも小さくしたものである。
【００１４】
また、他の手段は、オリフィス前面に、センサー固定部材を介して人感センサーを固定したものである。
【００１５】
また、他の手段は、人感センサーのセンサーボックス一方の両側面に長穴凹部を設け、長穴下端部とセンサー固定部材ガイド側面が係合する位置に設けたねじ穴にセンサーボックス固定用ねじを取付け、センサーボックス長穴部を両側から挟み込む構造としたものである。
【００１６】
また、他の手段は、人感センサーのセンサーボックス側面に、天井材板厚を表示する表示部を設けたものである。
【００１７】
また、他の手段は、送風ユニットを駆動制御する制御装置を固定および保護する基板ボックスの電源コード固定部の下面に、本体フレーム外側に向けて傾斜させた傾斜部を設けたものである。
【００１８】
また、他の手段は、本体フレーム天面に設置した電装部品を保護する電装カバーを、前記本体フレーム天面のねじ穴を通じてファンケーシングに設けたボス部にてねじ固定する構造としたものである。
【００１９】
また、他の手段は、通風路の部品を、金属製としたものである。
【００２０】
また、他の手段は、本体フレーム天面を別部品にて本体フレーム内側より天面固定用ねじにて固定し、電装カバー大きさを本体フレーム天面開口部よりも小さくしたものである。
【００２１】
また、他の手段は、センサーボックスをセンサーボックスＡとセンサーボックスＢとし、センサーボックスＡとセンサーボックスＢのリード線引出し口にリード線固定用の三角形の凸部を設け、センサーボックスＡとセンサーボックスＢをセンサーボックス固定用ねじにて固定しリード線を挟み込む構造としたものである。
【発明の効果】
【００２２】
本発明によれば、部屋の天井裏に取り付けられ、下面に天井板の開口部に対応する吸込口を有しかつ側面に吐出口を有する本体フレームと、前記本体フレーム内部に前記部屋内の空気を前記吸込口から吸入して前記吐出口から吐出する送風ユニットと、この送風ユニットの羽根回転軸方向前面側のほぼ中央に吸込口を有し前記送風ユニットを包囲するファンケーシングと、前記本体フレームの前記部屋の室内側に着脱自在に装着される化粧パネルと、前記本体フレームの天面に装着される前記送風ユニットを駆動制御する制御装置と、前記送風ユニットの回転数を制御する速度調整装置を前記本体フレーム内部または前記化粧パネルに設けた換気装置であって、前記制御装置と前記速度調整装置を接続する速度調整装置リード線を前記ファンケーシングの舌片側の前記本体フレーム天面開口穴を通して配線したことにより、小型の天井埋込形換気装置でも送風ユニットを駆動制御できるという効果のある換気装置を提供することができる。
【００２３】
また、速度調整装置を、人感センサーと風量調整装置としたことにより、人の存在を検知して自動運転したり、部屋の大きさに応じて風量を自由に変更できるという効果のある換気装置を提供することができる。
【００２４】
また、本体フレーム内側のケーシングと化粧パネルとの間にオリフィスを設け、速度調整装置をファンケーシング舌片側のオリフィス内側に設けたことにより、ユーザーがリード線に触れられない構造となるのでリード線の種類に関する制約が無くなり、リード線損傷、引張りによる接続部等の接触不良が防止できるという効果のある換気装置を提供することができる。
【００２５】
また、速度調整装置を固定し保護するスイッチボックスをオリフィス内側に設け、前記オリフィス内側面にスイッチボックス壁面内側を囲むようなオリフィスリブを設け、前記スイッチボックスのリード線引込部に前記オリフィスリブを挟み込みようなスイッチボックス内側リブと外側リブを設けたことにより、速度調整装置リード線から水が浸入するのを防ぐとともに、オリフィスに溜まった結露水が速度調整装置内に浸入するのを防ぐことができるという効果のある換気装置を提供することができる。
【００２６】
また、速度調整装置リード線を通す長穴を、オリフィス端面より形成し長穴内側にリード線抜け止用凸部を設けたことにより、工場での組立が容易になるとともに、速度調整装置リード線の位置をオリフィスの内側に固定できるのでリード線が本体フレームと化粧パネルの間に噛み込まれることが防止できるという効果のある換気装置を提供することができる。
【００２７】
また、速度調整装置リード線を通す長穴を、ファンケーシング舌片側の本体フレーム天面開口部下側の化粧パネル固定用スプリング用穴近傍に設け、化粧パネルの速度調整装置より前記スプリング用穴に向けて設けた化粧パネル格子補強リブの上にリード線固定部を設けて、補強リブ上にリード線を固定することにより、機器設置後に使用者がリード線を見えにくくすることができるという効果のある換気装置を提供することができる。
【００２８】
また、化粧パネルに、人感センサーをねじ止めにて固定したことにより、メンテナンス時等にユーザーが取り外せない構造となるので、人感センサー取付位置が変ることがなく、品質の安定を図ることができるという効果のある換気装置を提供することができる。
【００２９】
また、人感センサーの固定を、固定用ねじ部の雌ねじ部分にナットを使用したことにより、部品交換等の際に人感センサーを取り外す際も雌ねじ部分が壊れることなく、安定した締結力が得られることができるという効果のある換気装置を提供することができる。
【００３０】
また、人感センサーの固定用ねじ穴径を、ねじ径よりも小さくしたことにより、部品交換等の際に、人感センサーを取り外すねじがセンサーボックスより抜け落ちることがなくなり、ねじを紛失することがなくなるという効果のある換気装置を提供することができる。
【００３１】
また、オリフィス前面に、センサー固定部材を介して人感センサーを固定したことにより、本体フレーム側に人感センサーが設置されるので、化粧パネルを容易に取り外しメンテナンスすることができるという効果のある換気装置を提供することができる。
【００３２】
また、人感センサーのセンサーボックス一方の両側面に長穴凹部を設け、長穴下端部とセンサー固定部材ガイド側面が係合する位置に設けたねじ穴にセンサーボックス固定用ねじを取付け、センサーボックス長穴部を両側から挟み込む構造としたことにより、天井材の厚みが異なる場合でも人感センサー固定位置を調節して化粧パネル前面の所定の位置に人感センサーを設置できるという効果のある換気装置を提供することができる。
【００３３】
また、人感センサーのセンサーボックス側面に、天井材板厚を表示する表示部を設けたことにより、本体を天井に設置する前に天井材の厚みに応じて人感センサー固定位置を容易に調節でき、施工性の向上を図ることができるという効果のある換気装置を提供することができる。
【００３４】
また、送風ユニットを駆動制御する制御装置を固定および保護する基板ボックスの電源コード固定部の下面に、本体フレーム外側に向けて傾斜させた傾斜部を設けたことにより、電源コードから浸入した結露水は制御装置等の充電部に付着しないので漏電、ショート等の危険性を防止することができるという効果のある換気装置を提供することができる。
【００３５】
また、本体フレーム天面に設置した電装部品を保護する電装カバーを、前記本体フレーム天面のねじ穴を通じてファンケーシングに設けたボス部にてねじ固定する構造としたことにより、本体フレーム天面の部品未実装部分に電装カバー固定用ねじ穴を別途設ける必要が無くなるるとともに、本体フレーム天面に電装カバー固定用のバーリングを加工する必要が無くなり部品加工工数を減らすことができるという効果のある換気装置を提供することができる。
【００３６】
また、通風路の部品を、金属製としたことにより、通風路部品の材料が金属製に指定されている場合でも対応することができるという効果のある換気装置を提供することができる。
【００３７】
また、本体フレーム天面を別部品にて本体フレーム内側より天面固定用ねじにて固定し、電装カバー大きさを本体フレーム天面開口部よりも小さくしたことにより、制御部品、電装部品、モーター等をメンテナンスする場合に容易に部品を取り外せることができるという効果のある換気装置を提供することができる。
【００３８】
また、センサーボックスをセンサーボックスＡとセンサーボックスＢとし、センサーボックスＡとセンサーボックスＢのリード線引出し口にリード線固定用の三角形の凸部を設け、センサーボックスＡとセンサーボックスＢをセンサーボックス固定用ねじにて固定しリード線を挟み込む構造としたことにより、施工時、メンテナンス時に人感センサーリード線が引っ張られた場合にも電装部品接続部に張力が加わり故障するのを防止することができるという効果のある換気装置を提供することができる。
【発明を実施するための最良の形態】
【００３９】
本発明の請求項１記載の換気装置は、部屋の天井裏に取り付けられ、下面に天井板の開口部に対応する吸込口を有しかつ側面に吐出口を有する本体フレームと、前記本体フレーム内部に前記部屋内の空気を前記吸込口から吸入して前記吐出口から吐出する送風ユニットと、この送風ユニットの羽根回転軸方向前面側のほぼ中央に吸込口を有し前記送風ユニットを包囲するファンケーシングと、前記本体フレームの前記部屋の室内側に着脱自在に装着される化粧パネルと、前記本体フレームの天面に装着される前記送風ユニットを駆動制御する制御装置と、前記送風ユニットの回転数を制御する速度調整装置を前記本体フレーム内部または前記化粧パネルに設けた換気装置であって、前記制御装置と前記速度調整装置を接続する速度調整装置リード線を前記ファンケーシングの舌片側の前記本体の前記フレーム天面開口穴を通して配線したものであり、制御装置と前記速度調整装置を接続する速度調整装置リード線を、ファンケーシング舌片側の本体フレーム天面開口穴を通して配線するという作用を有する。
【００４０】
また、速度調整装置を、人感センサーと風量調整装置としたものであり、速度調整装置を、人感センサーと風量調整装置とするという作用を有する。
【００４１】
また、本体フレーム内側のケーシングと化粧パネルとの間にオリフィスを設け、速度調整装置をファンケーシング舌片側のオリフィス内側に設けたものであり、ファンケーシング舌片側の本体フレーム内部が一番部品設置スペースを確保でき速度調整装置の設置が容易となり、ファンケーシング舌片側の本体フレーム天面開口穴の下に速度調整装置を設置することによりリード線を最短距離にて接続するという作用を有する。
【００４２】
また、速度調整装置を固定し保護するスイッチボックスをオリフィス内側に設け、前記オリフィス内側面にスイッチボックス壁面内側を囲むようなオリフィスリブを設け、前記スイッチボックスのリード線引込部に前記オリフィスリブを挟み込みようなスイッチボックス内側リブと外側リブを設けたものであり、オリフィス内側面に設けたスイッチボックス壁面内側を囲むオリフィスリブによりオリフィス内側に溜まった水がスイッチボックス内に浸入せず、リード線を伝って浸入する水もオリフィスリブによりリード線を一度上方に持ち上げてスイッチボックス内側リブ、外側リブにより押さえ込んで配線することによりスイッチボックス内部に浸入しないという作用を有する。
【００４３】
また、速度調整装置リード線を通す長穴を、オリフィス端面より形成し長穴内側にリード線抜け止用凸部を設けたものであり、速度調整装置とリード線をオリフィスに通す際はオリフィス側面の長穴から通し、長穴内側凸部を乗り上げて固定するという作用を有する。
【００４４】
また、速度調整装置リード線を通す長穴を、ファンケーシング舌片側の本体フレーム天面開口部下側の化粧パネル固定用スプリング用穴近傍に設け、化粧パネルの速度調整装置より前記スプリング用穴に向けて設けた化粧パネル格子補強リブの上にリード線固定部を設けたものであり、速度調整装置（人感センサー）のリード線長さを最短にするという作用を有する。また、リード線は補強リブ上に配線するという作用を有する。
【００４５】
また、化粧パネルに、人感センサーをねじ止めにて固定したものであり、人感センサーを製品の最も検知し易い化粧パネルに設置し、人感センサーを化粧パネルにねじ固定しセンサー位置を確実に固定するという作用を有する。
【００４６】
また、人感センサーの固定を、固定用ねじ部の雌ねじ部分にナットを使用したものであり、人感センサー固定用ねじの雌ねじ部分を、金属製のナットにするという作用を有する。
【００４７】
また、人感センサーの固定用ねじ穴径を、ねじ径よりも小さくしたものであり、人感センサー固定用ねじを、センサーボックスねじ穴にねじを切りながら挿入するという作用を有する。
【００４８】
また、オリフィス前面に、センサー固定部材を介して人感センサーを固定したものであり、オリフィス前面にセンサー固定部材を取り付け、その中央部の化粧パネルと係合する位置に人感センサーを固定するという作用を有する。
【００４９】
また、人感センサーのセンサーボックス一方の両側面に長穴凹部を設け、長穴下端部とセンサー固定部材ガイド側面が係合する位置に設けたねじ穴にセンサーボックス固定用ねじを取付け、センサーボックス長穴部を両側から挟み込む構造としたものであり、センサー固定部材両側面のねじを緩めると（破線にて図示）センサーボックスの挟み込みが無くなり、センサーボックスはねじと長穴凹部が当接する図の破線の位置まで降下する。途中の位置でセンサーボックスを固定する場合はその位置で両側面のねじを締め込みセンサーボックスを挟み込むことにより固定するという作用を有する。
【００５０】
また、人感センサーのセンサーボックス側面に、天井材板厚を表示する表示部を設けたものであり、センサーボックス側面の板厚表示位置とセンサー固定部材ガイド側面下端を合わせ、両側のねじにて固定するという作用を有する。
【００５１】
また、送風ユニットを駆動制御する制御装置を固定および保護する基板ボックスの電源コード固定部の下面に、本体フレーム外側に向けて傾斜させた傾斜部を設けたものであり、電源コードを伝って基板ボックス内に浸入した結露水等の水は電源コード固定部で止められて下面に落ち基板ボックスの傾斜面により基板ボックスの外側に流れるという作用を有する。
【００５２】
また、本体フレーム天面に設置した電装部品を保護する電装カバーを、前記本体フレーム天面のねじ穴を通じてファンケーシングに設けたボス部にてねじ固定する構造としたものであり、電装カバーを、本体フレーム天面を介してファンケーシングに固定するという作用を有する。
【００５３】
また、通風路の部品を、金属製としたものであり、通風路が、不燃部品としているので燃焼しないという作用を有する。
【００５４】
また、本体フレーム天面を別部品にて本体フレーム内側より天面固定用ねじにて固定し、電装カバー大きさを本体フレーム天面開口部よりも小さくしたものであり、化粧パネル、オリフィスを取り外し本体フレーム天面固定用のねじを取り外すと送風ユニット、ケーシング、制御装置が一体の状態で取り出せるという作用を有する。
【００５５】
また、センサーボックスをセンサーボックスＡとセンサーボックスＢとし、センサーボックスＡとセンサーボックスＢのリード線引出し口にリード線固定用の三角形の凸部を設け、センサーボックスＡとセンサーボックスＢをセンサーボックス固定用ねじにて固定しリード線を挟み込む構造としたものであり、人感センサーリード線はセンサーボックスＡおよびセンサーボックスＢの凸部により上下から挟み込まれて固定するという作用を有する。
【００５６】
以下、本発明の実施の形態について、図面を参照しながら説明する。
【００５７】
（実施の形態１）
図１，図２および図３に示すように、部屋の天井裏に取り付けられ、下面に天井板の開口部に対応する吸込口１を有しかつ側面に吐出口２を有する本体フレーム３と、本体フレーム３内部に部屋内の空気を吸込口１から吸入して吐出口２から吐出する送風ユニット４と、この送風ユニット４の羽根５回転軸方向前面側のほぼ中央に吸込口を有し送風ユニット４を包囲するファンケーシング６と、本体フレーム３に部屋の室内側に着脱自在に装着される化粧パネル７と、本体フレーム３の天面に装着される送風ユニット４を駆動制御する制御装置９と、送風ユニット４の回転数を制御する速度調整装置１０を本体フレーム３内部または化粧パネル７に設けた換気装置であって、制御装置９と速度調整装置１０を接続する速度調整装置リード線１１をファンケーシング６の舌片側の本体フレーム天面開口穴１３を通して配線した構成とする。
【００５８】
上記構成により、制御装置９と速度調整装置１０を接続する速度調整装置リード線１１を、ファンケーシング６の舌片側の本体フレーム天面開口穴１３を通して配線する。
【００５９】
このように本発明の実施の形態１の換気装置によれば、小型の天井埋込形換気扇でも送風ユニット４を駆動制御する制御装置９を本体フレーム天面８に設置し、本体フレーム３とファンケーシング６との間に最もスペースのあるファンケーシング舌片１２側の本体フレーム天面８に速度調整装置リード線１１を通す穴を設けて接続することにより、風量一定制御、センサー自動運転、風量多段切替等の送風ユニット駆動制御できる換気装置を実現できることとなる。
【００６０】
また、図１に示すように、速度調整装置１０を、人感センサー１０ａと風量調整装置１０ｂとした構成とする。
【００６１】
上記構成により、速度調整装置１０を、人を検知する人感センサー１０ａと風量を変更する風量調整装置１０ｂとする。
【００６２】
このように本発明の実施の形態１の換気装置によれば、人の存在を検知して自動運転したり、部屋の大きさに応じて風量を自由に変更できることとなる。
【００６３】
また、図３に示すように、本体フレーム（図示せず）内側のファンケーシング６と化粧パネル（図示せず）との間にオリフィス１４を設け、風量調整装置１０ｂをファンケーシング舌片１２側のオリフィス１４内側に設けた構成とする。
【００６４】
上記構成により、ファンケーシング舌片１２が本体内部に向けてＲ形状にて窪んでいるので、本体フレームとファンケーシング６との間の空間が本体フレーム内側の４隅の中で最も広くなる。よって風量調整装置１０ｂの設置が容易となる。この傾向は本体フレームサイズが小さくなるほど顕著になる。また、ファンケーシング舌片１２側の本体フレーム天面開口穴１３の下に風量調整装置１０ｂを設置することにより速度調整装置リード線１１を最短距離にて接続する。
【００６５】
このように本発明の実施の形態１の換気装置によれば、ファンケーシング舌片１２側のオリフィス１４内側に風量調整装置１０ｂを設けることによりその設置スペースを最大限にすることができる。また、ユーザーが速度調整装置リード線１１に触れられない構造となるのでリード線の種類に関する制約が無くなり、リード線損傷、引張りによる接続部等の接触不良が防止できることとなる。また、人感センサー１０ａをこの位置に設置した場合は化粧パネル（図示せず）に取付け構造が不要なことから通常の化粧パネルを使用することができ、部品標準化となる。また速度調整装置リード線１１の長さを最短にすることができるのでコストも安価となり組立性も向上する。
【００６６】
（実施の形態２）
実施の形態１と同じ構造については同じ番号を付与し、詳細な説明は省略する。
【００６７】
図４〜図６に示すように、風量調整装置１０ｂを固定し保護するスイッチボックス１５をオリフィス１４内側に設け、オリフィス１４内側面にスイッチボックス１５壁面内側を囲むようなオリフィスリブ１６ａを設け、スイッチボックス１５のリード線引込部にオリフィスリブ１６ａを挟み込みようなスイッチボックス内側リブ１６ｂとスイッチボックス外側リブ１６ｃを設けた構成とする。
【００６８】
上記構成により、オリフィス１４内側面に設けたスイッチボックス１５壁面内側を囲むオリフィスリブ１６ａによりオリフィス１４内側に溜まった水がスイッチボックス１５内に浸入せず、速度調整装置リード線１１を伝って浸入する水もオリフィスリブ１６ａにより速度調整装置リード線１１を一度上方に持ち上げてスイッチボックス内側リブ１６ｂ、スイッチボックス外側リブ１６ｃにより押さえ込んで配線することによりスイッチボックス１５内部に浸入しない。
【００６９】
このように本発明の実施の形態２の換気装置によれば、速度調整装置リード線１１から水が浸入するのを防ぐとともに、オリフィス１４に溜まった結露水が風量調整装置１０ｂ内に浸入するのを防ぐことができることとなる。
【００７０】
また、図６に示すように、速度調整装置リード線１１を通す長穴１７を、オリフィス１４端面より形成し長穴１７内側にリード線抜け止用凸部１８を設けた構成とし、図７、８に示すように長穴１７を、ファンケーシング舌片１２側の本体フレーム天面開口穴１３下側の化粧パネル固定用スプリング穴１９近傍に設け、化粧パネル７の人感センサー１０ａより化粧パネル固定用スプリング穴１９に向けて設けた化粧パネル格子補強リブ２１の上にリード線固定部２２を設けた構成とする。また、図８に示すように化粧パネル７に人感センサー１０ａをねじ止めにて固定した構成とする。図９に示すように人感センサー固定用ねじ部２４の雌ねじ部分はナット２４ａを使用した構成としても良い。また、図１０に示すように人感センサー１０ａの固定用ねじ穴径を、ねじ径よりも小さくした構成としても良い。
【００７１】
上記構成の換気装置の組立性、メンテナンス性ついて以下に説明する。
【００７２】
図６、７に示すように組立時に人感センサー１０ａと速度調整装置リード線１１をオリフィス１４に通す際はオリフィス１４側面の長穴１７から通し、リード線抜け止用凸部１８を乗り上げて固定する。速度調整装置リード線１１を通す穴が長穴形状ではなく穴の場合、速度調整装置リード線１１をオリフィス１４の穴に通してから制御装置９に接続することとなり、オリフィス１４が作業中邪魔になる。よって速度調整装置リード線１１接続作業後にオリフィス１４を取付けた方が作業性が良く、部品交換時に分解、組立する際も作業性が良くなる。
【００７３】
また、図７に示すように速度調整装置リード線１１の位置をオリフィス１４の内側に固定でき、速度調整装置リード線１１の出口を本体フレーム３の外周のフランジ面（図示せず）から遠ざけることにより、本体フレーム３の外周のフランジ面（図示せず）と化粧パネル７の間に噛み込まれることが防止できる。
【００７４】
また、図７に示すように人感センサー１０ａの速度調整装置リード線１１はオリフィス１４に設けられた長穴１７出口からほぼ直線的に配線されるので、速度調整装置リード線１１の長さを最短にできる。
【００７５】
また、図８に示すように速度調整装置リード線１１はリード線固定部２２に保持されながら化粧パネル格子補強リブ２１上に配線されるので室内側からは見えない構造となる。また、人感センサー１０ａを製品の最も検知し易い化粧パネル７前面に設置し、人感センサー１０ａを化粧パネル７にねじ固定するので工場出荷の段階でセンサー位置を確実に固定できる。人感センサー１０ａをユーザーが取外せる構造とした場合は取付け不良等により人感センサー位置が変わり人感センサー１０ａが正常に感知しない等の問題発生が考えられる。
【００７６】
また、図９に示すように人感センサー固定用ねじの雌ねじ部分を、金属製のナット２４ａにすると。部品交換等でねじを取り外しする際も雌ねじねじ山部分は壊れることなく安定した締結力が得られる。
【００７７】
また、図１０に示すように人感センサー固定用ねじ穴２５の径を、ねじ径よりも小さくした構成とすることにより、人感センサー固定用ねじは人感センサー固定用ねじ穴２５にねじを切りながら挿入される。よって、人感センサー１０ａを取り外す際に化粧パネル７側のねじ穴からねじが外れてもねじはセンサーボックス（図示せず）に固定されていることとなる。
【００７８】
このように本発明の実施の形態２の換気装置によれば、組立時、部品交換時の作業性が良くなるとともに、速度調整装置リード線１１が本体フレーム３の外周のフランジ面（図示せず）と化粧パネル７の間に噛み込まれることが防止できる。また室内側からは速度調整装置リード線１１が見えない構造となり、デザイン性向上がはかれる。また、安定した人感センサー検知を得ることができる。また、部品交換等の際に人感センサー１０ａを取り外す際も雌ねじ部分が壊れることなく、安定した締結力が得られるので取付け位置がずれることによる検知バラツキを防止することができる。また、部品交換等で人感センサー１０ａを取り外す際もねじがセンサーボックスより抜け落ちることがなくなり、ねじを紛失することがなくなることとなる。
【００７９】
（実施の形態３）
実施の形態１、２と同じ構造については同じ番号を付与し、詳細な説明は省略する。
【００８０】
図１１に示すように、オリフィス１４の前面に、センサー固定部材２６を介して人感センサー１０ａを固定した構成とし、人感センサー１０ａを図１２に示すように、センサーボックス２７の対向する一側面に長穴凹部２８を設け、長穴下端部とセンサー固定部材のガイド２９の側面が係合する位置に設けたねじ穴にセンサーボックス固定用ねじ３０を取付け、センサーボックス長穴凹部を両側から挟み込む構造とした構成とする。
【００８１】
また、図１３に示すように、人感センサー１０ａのセンサーボックス２７側面に、天井材板厚を表示する表示部３１を設けた構成とする。
【００８２】
上記構成により、オリフィス１４の前面にセンサー固定部材２６を取付け、その中央部の化粧パネル７と係合する位置に人感センサー１０ａを固定することにより、化粧パネル７に人感センサー１０ａを取付ける必要が無いことから化粧パネル７単品を取り外すことができる。
【００８３】
また、速度調整装置リード線１１をセンサー固定部材２６に裏面等に固定することにより（図示せず）ユーザーが速度調整装置リード線１１に触れられない構造となる。
【００８４】
また、図１２に示すように、センサー固定部材２６の両側面のセンサーボックス固定用ねじ３０を緩めると（破線にて図示）センサーボックス２７の挟み込みが無くなり、センサーボックス２７はねじと長穴凹部２８が当接する図の破線の位置まで降下する。途中の位置でセンサーボックス２７を固定する場合はその位置で両側面のねじを締め込みセンサーボックス２７を挟み込むことにより固定する。
【００８５】
また、図１４に示すように、センサーボックス２７側面の天井材板厚を表示する表示部３１とセンサー固定部材のガイド２９の側面下端を合わせることにより天井材板厚に対応した位置に人感センサー１０ａを固定できる。
【００８６】
このように本発明の実施の形態３の換気装置によれば、本体フレーム側に人感センサー１０ａを設置することにより、化粧パネル７を容易に取り外しメンテナンスすることができることとなる。また、ユーザーが速度調整装置リード線１１に触れられない構造となるので速度調整装置リード線１１の種類に関する制約が無くなり、リード線損傷、引張りによる接続部等の接触不良が防止できることとなる。また、天井材の厚みが異なる場合でも化粧パネル７前面の所定の位置に人感センサー１０ａを固定できることとなる。また、本体を天井に設置する前に天井材の厚みに応じて人感センサー固定位置を容易に調節でき、施工性の向上を図ることができることとなる。
【００８７】
（実施の形態４）
実施の形態１〜３と同じ構造については同じ番号を付与し、詳細な説明は省略する。
【００８８】
図１５に示すように、送風ユニット４を駆動制御する制御装置９を固定および保護する基板ボックス３２の電源コード固定部３３の下面に、本体フレーム外側に向けて傾斜させた傾斜部３４を設けた構成とする。
【００８９】
上記構成により、電源コード３３ａを伝って基板ボックス３２内に浸入した結露水等の水は電源コード固定部３３で止められて下面に落ち、基板ボックス３２の傾斜面により基板ボックス３２の外側に流れることとなる。
【００９０】
このように本発明の実施の形態４の換気装置によれば、電源コード３３ａから浸入した結露水は制御装置等の充電部に付着しないので漏電、ショート等の危険性を防止することができることとなる。
【００９１】
（実施の形態５）
実施の形態１〜４と同じ構造については同じ番号を付与し、詳細な説明は省略する。
【００９２】
図１６に示すように、本体フレーム天面８に設置した電装部品を保護する電装カバー（図示せず）を、本体フレーム天面８のねじ穴を通じてファンケーシング６に設けたボス部３５にねじ固定する構造で構成する。
【００９３】
上記構成により、電装カバーは本体フレーム天面８を介してファンケーシング６に設けられたボス部３５に固定される。本体フレーム天面８には制御装置９、モーター等の部品が搭載されそれを保護する電装カバーは大きくなる。よって本体フレーム天面８の外側に電装カバー固定用ねじを設けることになるが本体フレーム天面８外側裏側はファンケーシング６の外壁部が固定されているのでねじが干渉する可能性が大きい。そこでファンケーシング６自体に固定用のボス部３５を設けることにより固定用ねじ位置を確保することができる。
【００９４】
このように本発明の実施の形態５の換気装置によれば、本体フレーム天面８の部品未実装部分に電装カバー固定用ねじ穴を別途設ける必要が無くなるるとともに、本体フレーム天面８に電装カバー固定用のバーリングを加工する必要が無くなり部品加工工数を減らすことができることとなる。
【００９５】
（実施の形態６）
実施の形態１〜５と同じ構造については同じ番号を付与し、詳細な説明は省略する。
【００９６】
図１７に示すように、通風路３６の部品を、金属製とした構成とする。
【００９７】
上記構成により、通風路３６が、不燃部品としているので燃焼しない。
【００９８】
このように本発明の実施の形態６の換気装置によれば、通風路３６の部品を、金属製としたことにより、火災時に通風路３６に火が燃え移り配管を通じて他に延焼することを防止でき、通風路部品の材料が金属製に指定されている場合でも対応することができることとなる。
【００９９】
（実施の形態７）
実施の形態１〜６と同じ構造については同じ番号を付与し、詳細な説明は省略する。
【０１００】
図１８および図１９に示すように、本体フレーム天面８を別部品にて本体フレーム内側より本体フレーム天面固定用ねじ３７にて固定し、電装カバー３８の大きさを本体フレーム天面開口部３９よりも小さくした構成とする。
【０１０１】
上記構成により、化粧パネル７、オリフィス１４を取り外し本体フレーム天面固定用ねじ３７を取り外すと送風ユニット４、ファンケーシング６、制御装置９が一体の状態で取り出せる。
【０１０２】
このように本発明の実施の形態７の換気装置によれば、制御部品、電装部品、モーター等をメンテナンスする場合に容易に部品を取り外せることができることとなる。
【０１０３】
（実施の形態８）
実施の形態１〜７と同じ構造については同じ番号を付与し、詳細な説明は省略する。
【０１０４】
図２０および図２１に示すように、センサーボックス２７をセンサーボックスＡ４０とセンサーボックスＢ４１とし、センサーボックスＡ４０とセンサーボックスＢ４１のリード線引出し口にリード線固定用の三角形の凸部４２を設け、センサーボックスＡ４０とセンサーボックスＢ４１をセンサーボックス固定用ねじ４４にて固定しリード線４３を挟み込む構造で構成する。
【０１０５】
上記構成により、リード線４３はセンサーボックスＡ４０およびセンサーボックスＢ４１の凸部４２により上下から挟み込まれて固定される。
【０１０６】
このように本発明の実施の形態８の換気装置によれば、施工時、メンテナンス時にリード線４３が引っ張られた場合にも電装部品接続部に張力が加わり故障するのを防止することができることとなる。
【産業上の利用可能性】
【０１０７】
本発明に係る換気装置は、小型の天井埋込形換気扇でも送風ユニットを駆動制御する制御機能を搭載し装置を本体フレーム天面に設置し、本体フレームとファンケーシングとの間に最もスペースのあるファンケーシング舌片側の本体フレーム天面に速度調整装置リード線を通す穴を設けて接続することにより、風量一定制御、センサー自動運転、風量多段切替等の送風ユニット駆動制御できる換気装置を実現することができ、本発明は小型の換気装置に有用である。
【図面の簡単な説明】
【０１０８】
【図１】本発明の実施の形態１の換気装置を示す側面断面図
【図２】同換気装置の下方からの正面図
【図３】同換気装置の本体フレームを除いた構成を示す斜視図
【図４】本発明の実施の形態２の換気装置を示す図（（ａ）側面図、（ｂ）正面図、（ｃ）下面図）
【図５】同換気装置のスイッチボックスを示す斜視図
【図６】同換気装置のオリフィスを示す斜視図
【図７】同換気装置を示す斜視図
【図８】同換気装置の化粧パネル構成を示す斜視図
【図９】同換気装置の化粧パネルの正面図
【図１０】同換気装置のセンサーボックス斜視図
【図１１】本発明の実施の形態３の換気装置を示す斜視図
【図１２】同換気装置の構成を示す部分側面断面図
【図１３】同換気装置のセンサーボックス斜視図
【図１４】同換気装置の人感センサーを示す部分側面拡大図
【図１５】本発明の実施の形態４の換気装置の基板ボックスを示す部分拡大図（（ａ）正面図、（ｂ）側面図、（ｃ）下面図）
【図１６】本発明の実施の形態５の換気装置のファンケーシングを示す斜視図（（ａ）正面図、（ｂ）裏面図）
【図１７】本発明の実施の形態６の換気装置を示す側面構成図
【図１８】本発明の実施の形態７の構成を示す正面図
【図１９】同換気装置の構成を示す正面図
【図２０】本発明の実施の形態８の構成を示す部分側面断面図
【図２１】同換気装置の構成を示す分解斜視図
【符号の説明】
【０１０９】
１      吸込口
２      吐出口
３      本体フレーム
４      送風ユニット
５      羽根
６      ファンケーシング
７      化粧パネル
８      本体フレーム天面
９      制御装置
１０    速度調整装置
１０ａ  人感センサー
１０ｂ  風量調整装置
１１    速度調整装置リード線
１２    ファンケーシング舌片
１３    本体フレーム天面開口穴
１４    オリフィス
１５    スイッチボックス
１６ａ  オリフィスリブ
１６ｂ  スイッチボックス内側リブ
１６ｃ  スイッチボックス外側リブ
１７    長穴
１８    リード線抜け止用凸部
１９    化粧パネル固定用スプリング穴
２０    化粧パネル固定用スプリング
２１    化粧パネル格子補強リブ
２２    リード線固定部
２３    人感センサー固定用ねじ
２４    人感センサー固定用ねじ部
２４ａ  ナット
２５    人感センサー固定用ねじ穴
２６    センサー固定部材
２７    センサーボックス
２８    長穴凹部
２９    ガイド
３０    センサーボックス固定用ねじ
３１    表示部
３２    基板ボックス
３３    電源コード固定部
３３ａ  電源コード
３４    傾斜部
３５    ボス部
３６    通風路
３７    本体フレーム天面固定用ねじ
３８    電装カバー
３９    本体フレーム天面開口部
４０    センサーボックスＡ
４１    センサーボックスＢ
４２    凸部
４３    リード線
４４    センサーボックス固定用ねじ
４５    リード線引込部
【図１】
2010117111.tif 000003
【図２】
2010117111.tif 000004
【図３】
2010117111.tif 000005
【図４】
2010117111.tif 000006
【図５】
2010117111.tif 000007
【図６】
2010117111.tif 000008
【図７】
2010117111.tif 000009
【図８】
2010117111.tif 000010
【図９】
2010117111.tif 000011
【図１０】
2010117111.tif 000012
【図１１】
2010117111.tif 000013
【図１２】
2010117111.tif 000014
【図１３】
2010117111.tif 000015
【図１４】
2010117111.tif 000016
【図１５】
2010117111.tif 000017
【図１６】
2010117111.tif 000018
【図１７】
2010117111.tif 000019
【図１８】
2010117111.tif 000020
【図１９】
2010117111.tif 000021
【図２０】
2010117111.tif 000022
【図２１】
2010117111.tif 000023